【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
複数の農産物生産者、加工食品製造者およびそれらの出荷者が、出荷した商品を販売するための農産物直売所とネットワーク接続された農産物販売管理システムであって、
前記農作物生産者や前記加工食品製造者が出荷者となり納品した商品を消費者が購入する際、購入された商品の精算時に商品に予め貼り付けられたバーコードラベルのバーコードを読み取り、売り上げデータとして送信するＰＯＳ端末装置と、
前記売上データを受信して蓄積およびデータ処理をするサーバーセンターとを備え、
前記サーバーセンターは、
前記バーコード情報を収集し、販売データを前記バーコードの情報を利用してリアルタイム又は予め設定した比較的短い間隔で前記各出荷者別の販売データとして蓄積する販売管理サーバー装置と、
前記各出荷者別の前記販売データを売り上げ情報としてリアルタイム又は予め設定した比較的短い間隔で、前記出荷者へ電子メール、音声、ＦＡＸのいずれか１方法、あるいは２以上の方法で送信する電子メール／音声／ＦＡＸ送信サーバー装置と、
前記販売管理サーバーに接続され、前記販売管理サーバー装置内のデータから一日の売上を精算して売上精算書を生成する管理用コンピューター装置と、
で構成されたことを特徴とする農産物販売管理システム。
【請求項２】
複数の農産物生産者、加工食品製造者およびそれらの出荷者が、出荷した商品を販売するための農産物直売所とネットワーク接続された農産物販売管理システムであって、
前記農作物生産者や前記加工食品製造者が出荷者となり納品した商品を消費者が購入する際、購入された商品の精算時に商品に予め貼り付けられたバーコードラベルのバーコードを読み取り、売り上げデータとして送信するＰＯＳ端末装置と、
前記売上データを受信して蓄積およびデータ処理をするサーバーセンターとを備え、
前記サーバーセンターは、
前記バーコード情報を収集し、販売データを前記バーコードの情報を利用してリアルタイム又は予め設定した比較的短い間隔で前記各出荷者別の販売データとして蓄積する販売管理サーバー装置と、
前記各出荷者別の前記販売データを売り上げ情報としてリアルタイム又は予め設定した比較的短い間隔で、前記加工食品等の複数の材料で構成される商品の材料出荷者の一部又は全員へ電子メール、音声、ＦＡＸのいずれか１方法、あるいは２以上の方法で送信する電子メール／音声／ＦＡＸ送信サーバー装置と、
前記販売管理サーバーに接続され、前記販売管理サーバー装置内のデータから一日の売上を精算して売上精算書を生成する管理用コンピューター装置と、
で構成されたことを特徴とする農産物販売管理システム。
【請求項３】
複数の農産物生産者、加工食品製造者およびそれらの出荷者が、出荷した商品を販売するための農産物直売所とネットワーク接続された農産物販売管理システムであって、
前記農作物生産者や前記加工食品製造者が出荷者となり納品した商品を消費者が購入する際、購入された商品の精算時に商品に予め貼り付けられたバーコードラベルのバーコードを読み取り、売り上げデータとして送信するＰＯＳ端末装置と、
前記売上データを受信して蓄積およびデータ処理をするサーバーセンターとを備え、
前記サーバーセンターは、
前記バーコード情報を収集し、販売データを前記バーコードの情報を利用してリアルタイム又は予め設定した比較的短い間隔で前記各出荷者別の販売データとして蓄積する販売管理サーバー装置と、
前記各出荷者別の前記販売データを売り上げ情報としてリアルタイム又は予め設定した比較的短い間隔で、前記出荷者へ電子メール、音声、ＦＡＸのいずれか１方法、あるいは２以上の方法で送信する電子メール／音声／ＦＡＸ送信サーバー装置と、
前記販売管理サーバーに接続され、前記販売管理サーバー装置内のデータから一日の売上を精算して売上精算書を生成する管理用コンピューター装置と、
前記管理用コンピューター装置に接続され、前記消費者が購入した前記商品の生産履歴を蓄積している生産履歴サーバー装置と、
で構成されたことを特徴とする農産物販売管理システム。
【請求項４】
複数の農産物生産者、加工食品製造者およびそれらの出荷者が、出荷した商品を販売するための農産物直売所とネットワーク接続された農産物販売管理システムであって、
前記農作物生産者や前記加工食品製造者が出荷者となり納品した商品を消費者が購入する際、購入された商品の精算時に商品に予め貼り付けられたバーコードラベルのバーコードを読み取り、売り上げデータとして送信するＰＯＳ端末装置と、
前記売上データを受信して蓄積およびデータ処理をするサーバーセンターとを備え、
前記サーバーセンターは、
前記バーコード情報を収集し、販売データを前記バーコードの情報を利用してリアルタイム又は予め設定した比較的短い間隔で前記各出荷者別の販売データとして蓄積する販売管理サーバー装置と、
前記各出荷者別の前記販売データを売り上げ情報としてリアルタイム又は予め設定した比較的短い間隔で、前記加工食品等の複数の材料で構成される商品の材料出荷者の一部又は全員へ電子メール、音声、ＦＡＸのいずれか１方法、あるいは２以上の方法で送信する電子メール／音声／ＦＡＸ送信サーバー装置と、
前記販売管理サーバーに接続され、前記販売管理サーバー装置内のデータから一日の売上を精算して売上精算書を生成する管理用コンピューター装置と、
前記管理用コンピューター装置に接続され、前記消費者が購入した前記商品の生産履歴を蓄積している生産履歴サーバー装置と、
で構成されたことを特徴とする農産物販売管理システム。
【請求項５】
請求項１から請求項４のいずれかに記載の農産物販売管理システムに用いるＰＯＳ端末装置であって、前記バーコードラベルの前記バーコードが、前記農産物直売所で販売する商品であることを示す特殊コードと、前記出荷者毎に異なる出荷者コードと、前記商品毎に異なる商品コードと、前記商品の金額を示す金額コードと、前記バーコードの読み誤りエラーをチェックするチェックデジットとで構成され、
前記バーコードのフォーマット中の任意の桁に、１０のｎ乗に相当する０から９のいずれかの指数ｎが組み込まれ、
ｎが「０」であれば「１円単位」、「１」であれば「１０円単位」、「２」であれば「１００円単位」のように、指数ｎの数字と金額単位との関係をあらかじめ記憶しておき、読み取った前記金額コードに前記指数ｎによって定義される前記金額単位を乗算することで前記商品の金額を算出することを特徴とするＰＯＳ端末装置。
【請求項６】
請求項１から請求項４のいずれかに記載の農産物販売管理システムに用いるＰＯＳ端末装置であって、前記バーコードラベルの前記バーコードが、前記農産物直売所で販売する商品であることを示す特殊コードと、前記出荷者毎に異なる出荷者コードと、前記商品毎に異なる商品コードと、前記商品の金額を示す金額コードと、前記バーコードの読み誤りエラーをチェックするチェックデジットとで構成され、
前記バーコードのフォーマット中の任意の桁に、１０のｎ乗に相当する指数ｎが組み込まれ、
ｎが「０」であれば「１円単位」、「１」であれば「１０円単位」、「２」であれば「１００円単位」のように、指数ｎの数字と金額単位との関係をあらかじめ記憶しておき、読み取った前記金額コードに前記指数ｎによって定義される前記金額単位を乗算することで前記商品の金額を算出し、
前記出荷者コードを元に、あらかじめ定義された出荷者氏名、出荷者電話番号、商品名、出荷個数、出荷日等の付加情報を、前記販売管理サーバー装置から読み出すことを特徴とするＰＯＳ端末装置。
【請求項７】
複数の農産物生産者、加工食品製造者およびそれらの出荷者が、出荷した商品を販売するための農産物直売所とネットワーク接続された農産物販売管理システムの販売管理方法であって、
前記農作物生産者や前記加工食品製造者が出荷者となり納品した商品を消費者が購入する際、購入された商品の精算時に商品に予め貼り付けられたバーコードラベルのバーコードをＰＯＳ端末装置で読み取るステップと、
前記ＰＯＳ端末装置で読み取ったデータを売上データとして送信するステップと、
前記売上データを受信して販売管理サーバー装置に蓄積するステップと、
前記売上データをリアルタイム又は予め設定した比較的短い間隔で前記各出荷者別の販売データとして編集するステップと、
前記各出荷者別の前記販売データを売り上げ情報としてリアルタイム又は予め設定した比較的短い間隔で、出荷者へ電子メール、音声、ＦＡＸのいずれか１方法、あるいは２以上の方法で送信するステップと、
前記販売管理サーバー装置内に蓄積された販売データを計算して前記各出荷者別の一日の売上精算書を生成するステップと、からなることを特徴とする農産物販売管理方法。
【請求項８】
複数の農産物生産者、加工食品製造者およびそれらの出荷者が、出荷した商品を販売するための農産物直売所とネットワーク接続された農産物販売管理システムの販売管理方法であって、
前記農作物生産者や前記加工食品製造者が出荷者となり納品した商品を消費者が購入する際、購入された商品の精算時に商品に予め貼り付けられたバーコードラベルのバーコードをＰＯＳ端末装置で読み取るステップと、
前記ＰＯＳ端末装置で読み取ったデータを売上データとして送信するステップと、
前記売上データを受信して販売管理サーバー装置に蓄積するステップと、
前記売上データをリアルタイム又は予め設定した比較的短い間隔で各出荷者別の販売データとして編集するステップと、
前記各出荷者別の販売データを売り上げ情報としてリアルタイム又は予め設定した比較的短い間隔で、前記加工食品等の複数の材料で構成される商品の材料出荷者の一部又は全員へ電子メール、音声、ＦＡＸのいずれか１方法、あるいは２以上の方法で送信するステップと、
前記販売管理サーバー装置内に蓄積された販売データを計算して、前記加工食品等の複数の前記材料で構成される前記商品の前記材料出荷者の一部又は全員の一日の売上精算書を生成するステップと、からなることを特徴とする農産物販売管理方法。
【請求項９】
複数の農産物生産者、加工食品製造者およびそれらの出荷者が、出荷した商品を販売するための農産物直売所とネットワーク接続された農産物販売管理システムの販売管理方法であって、
前記農作物生産者や前記加工食品製造者が出荷者となり納品した商品を消費者が購入する際、購入された商品の精算時に商品に予め貼り付けられたバーコードラベルのバーコードをＰＯＳ端末装置で読み取るステップと、
前記ＰＯＳ端末装置で読み取ったデータを売上データとして送信するステップと、
前記売上データを受信して販売管理サーバー装置に蓄積するステップと、
前記売上データをリアルタイム又は予め設定した比較的短い間隔で各出荷者別の販売データとして編集するステップと、
前記各出荷者別の販売データを売り上げ情報としてリアルタイム又は予め設定した比較的短い間隔で、出荷者へ電子メール、音声、ＦＡＸのいずれか１方法、あるいは２以上の方法で送信するステップと、
前記販売管理サーバー装置内に蓄積された販売データを計算して前記各出荷者別の一日の売上精算書を生成するステップと、
前記商品を購入した消費者が、各自で自分の購入した前記商品の生産履歴を確認する際、
前記消費者が購入した商品のバーコードラベルに記載されたバーコード情報を生産履歴開示用コンピューターで読み取るステップと
前記生産履歴開示用コンピューターで読み取った前記バーコード情報を前記生産履歴管理サーバーへ送信するステップと
前記生産履歴開示用コンピューターへ前記消費者から問い合わせ要求がされた生産履歴情報を送信するステップと、
前記生産履歴開示用コンピューターのモニター画面に該当の生産履歴を表示するステップと、
からなることを特徴とする農産物販売管理方法。
【請求項１０】
複数の農産物生産者、加工食品製造者およびそれらの出荷者が、出荷した商品を販売するための農産物直売所とネットワーク接続された農産物販売管理システムの販売管理方法であって、
前記農作物生産者や前記加工食品製造者が出荷者となり納品した商品を消費者が購入する際、購入された商品の精算時に商品に予め貼り付けられたバーコードラベルのバーコードをＰＯＳ端末装置で読み取るステップと、
前記ＰＯＳ端末装置で読み取ったデータを売上データとして送信するステップと、
前記売上データを受信して販売管理サーバー装置に蓄積するステップと、
前記売上データをリアルタイム又は予め設定した比較的短い間隔で各出荷者別の販売データとして編集するステップと、
前記各出荷者別の販売データを売り上げ情報としてリアルタイム又は予め設定した比較的短い間隔で、前記加工食品等の複数の材料で構成される商品の材料出荷者の一部又は全員へ電子メール、音声、ＦＡＸのいずれか１方法、あるいは２以上の方法で送信するステップと、
前記販売管理サーバー装置内に蓄積された販売データを計算して、前記加工食品等の複数の材料で構成される商品の材料出荷者の一部又は全員の一日の売上精算書を生成するステップと、
前記商品を購入した消費者が、各自で自分の購入した前記商品の生産履歴を確認する際、
前記消費者が購入した商品のバーコードラベルに記載されたバーコード情報を生産履歴開示用コンピューターで読み取るステップと
前記生産履歴開示用コンピューターで読み取った前記バーコード情報を前記生産履歴管理サーバーへ送信するステップと
前記生産履歴開示用コンピューターへ前記消費者から問い合わせ要求がされた生産履歴情報を送信するステップと、
前記生産履歴開示用コンピューターのモニター画面に該当の生産履歴を表示するステップと、
からなることを特徴とする農産物販売管理方法。
【請求項１１】
請求項７から請求項１０のいずれかに記載の農産物販売管理方法に用いるＰＯＳ端末装置であって、前記バーコードラベルのバーコードが、前記農産物直売所で販売する商品であることを示す特殊コードと、出荷者毎に異なる出荷者コードと、商品毎に異なる商品コードと、商品の金額を示す金額コードと、バーコードの読み誤りエラーをチェックするチェックデジットとで構成され、
前記バーコードのフォーマット中の任意の桁に、１０のｎ乗に相当する指数ｎが組み込まれ、
ｎが「０」であれば「１円単位」、「１」であれば「１０円単位」、「２」であれば「１００円単位」のように、指数ｎの数字と金額単位との関係をあらかじめ記憶しておき、読み取った前記金額コードに前記指数ｎによって定義される前記金額単位を乗算することで前記商品の金額を算出することを特徴とするＰＯＳ端末装置。
【手続補正２】
【補正対象書類名】明細書
【補正対象項目名】全文
【補正方法】変更
【補正の内容】
【発明の詳細な説明】
【発明の名称】農作物販売管理システムおよび販売管理方法
【技術分野】
【０００１】
本発明は、複数の農産物生産者、加工食品製造者およびそれらの出荷者が、出荷した商品を販売するための農産物直売所とネットワーク接続（主には電話回線やインターネット回線）され、農産物直売所での売上データの管理をバーコードを用いたＰＯＳ付きレジスター（以降ＰＯＳレジスターと称す）で行うのと同時に、複数の商品出荷者（各農産物や加工食品の納入者）にリアルタイム又は予め設定した比較的短い間隔で販売状況を通知し、農産物やその加工食品をはじめとする産地特有であって鮮度が重要視される店舗現場での在庫状況を遠隔地から監視、あるいは商品毎の鮮度管理を行い、消費者への新鮮な商品の提供と、農産物直売所での商品在庫切れ防止を目的としており、更にはバーコードデータを各出荷者が、個人のコンピューターやＦＡＸ、携帯電話、ＰＤＡ等の携帯端末装置で管理運用することにより、出荷者自身でリアルタイムに、かつ自由に各自の商品の在庫調整や価格調整できる農作物販売管理システムおよび販売管理方法に関する。
【背景技術】
【０００２】
従来技術においては、スーパーマーケットのＰＯＳレジスターシステムに代表されるように、各商品の販売価格は店頭に並べる前に予め、そのＰＯＳレジスターシステムを総合管理するデーターベースに登録しておかなければならないシステムになっている。スーパーマーケットのように卸売り業者や生産工場から予め商品を買い取った後に、利益分を付加して各商品の価格を決定する形態であれば、ある程度の時間と人手を使ってバーコードデータをデーターベースに登録していけばよいが、実際に販売が開始された後は、どの卸売業者あるいは生産工場からの商品供給が不足しているか、あるいは売り場在庫に対して次回どのような時期にどれくらいの数量の商品をどの卸売り業者や生産工場から仕入れなければならないかという判断は、その日の販売終了後、データーベース内の売り上げデータと在庫データ等の販売データを統計処理して比較検討後に実施しなければならないのが現状である。
また近年農業や漁業の分野における産地直売所は、郊外への道路の整備や「道の駅」等の行政指導による地域活性化推進活動、また無農薬野菜や有機栽培野菜に代表される消費者の健康的食生活への関心、又は農業や漁業従事者の農繁期以外の生活期間の活用による副収入確保等の理由から、全国的に産地直売所が急増している。また、現在の農業生産形態は、農村地帯で過疎化が進み農業後継者の確保が難しく、農業を支える主たる担い手が、高齢者や農家の婦人層になりつつある。しかし、産地直売所の運用形態は複数の生産者が各自の商品を持ち寄り店頭に並べるという煩雑なものであり、参加する生産者数が増えるに従って産地直売所での商品管理も複雑になってくる。
一方、消費者にとってはバラエティーに富んだ商品陳列は満足度を増し、産地直売所はその消費者ニーズである「品揃え・新鮮・安価・安全」という要望を十分に満足させる運営のために、いつ店舗を訪れてもバラエティーに富んだ商品を豊富に揃えるための、出荷者毎の店頭商品在庫の正確なリアルタイム数量管理、出荷者や商品種類の数量変化に容易に対応できる合理的な事務処理、商品毎の正確な鮮度管理と商品価格への迅速な反映、農産物商品の生産履歴管理データの開示が要求されている。
また従来のＰＯＳレジスターシステムでは、仮に出荷者が商品鮮度や商品在庫状況から商品の販売価格を変更しようとしても、リアルタイムには価格の変更はできない。鮮度の高い商品を商品価値として売りしている産地直売所では、各出荷者が各自販売している商品の鮮度に応じて迅速に販売価格を変更して、商品の販売を促進し、より鮮度の高い商品が店頭を占有している必要がある。
そして、その鮮度や安全性の証明に関しても、出荷者が必ずしも産地直売所店頭で待機していないので消費者に説明することができない。対策として、生産履歴証明を商品に添付しておく方法があるが、全ての消費者が購入商品の「出荷者の氏名、出荷者の電話番号、出荷者の顔写真、商品名（栽培品の名称）、栽培した場所、農作業内容、使用した肥料、使用した農薬等の栽培管理に関する情報」という生産履歴情報を知り得たいという要望はないので、生産履歴証明書の商品への添付は商品価格が上がってしまい、顧客ニーズに反することになる。従って、生産履歴情報が必要な消費者にのみ情報を提供するシステムが要望されている。
また前述のように産地直売所には複数の出荷者が商品を納入しており、例えば「だいこん」という同一の商品を、複数の出荷者が納入して産地直売所店頭に並べるケースが当たり前に存在し、その商品を従来のＰＯＳレジスターシステムのバーコードフォーマットで「（出荷者）＋（商品名）＋（商品価格）」という一体化した関連付けをすると、同じ「だいこん」であるが、出荷者毎に異なった商品としてバーコードを管理されてしまう。このように出荷者ごとに商品管理されている従来のＰＯＳレジスターシステムでは、同じ商品が出荷者毎に発生してしまい、新たな出荷者が商品を納入する様になった場合、その新規の出荷者は一般的には複数種類の商品を持ち込んで販売することになるので、バーコードの商品登録データが「新規出荷者×商品種類＝新たなＰＯＳレジスターデータ登録数」という量で一気に増加してしまう。このＰＯＳレジスターシステムのデータベース量の増加に伴い、システムのハードウェア内の記憶用メモリーの追加や、管理コストの増大を招く結果となる。
詳細に説明すると、従来のＰＯＳレジスターシステムで使用されているバーコードは、ＪＡＮコードのインストアコードを図７に示す様に設定されており、１３桁を「特殊コード」「商品コード」「金額」「チェックデジット」に分割して使用している。この形式では、出荷者毎の管理はできないので、上述の様に同じ商品が出荷者毎に発生してしまい、商品登録データが「新規出荷者X商品種類＝新規ＰＯＳレジスターデータ登録数」という量で増加してしまう。また、農産物直売所のように商品価格の幅が数十円から数万円に渡り、商品も数百種類になる運営形態においては、どうしても商品価格を管理するバーコードの金額コード領域が桁を多く使用してしまい、他の出荷者数の増加や商品種類に増加に余裕を持ったバーコードフォーマットで運用できない不具合がある。
その他提案されている従来のＰＯＳレジスターシステムやバーコードを工夫した商品や販売の管理方法として、特許文献１から３がある。
特許文献１は、「売り場毎に異なる販売価格を設定可能なＰＯＳレジスターシステム」にあるように同一種類の商品であっても売り場毎に異なる価格を設定でき、同一種類の商品に状態や価値による価格変更ができるものではあるが、このシステムの方式は商品に「売り場コード」を付加するためにＰＯＳレジスターの「ＰＯＳ番号」をシステムに管理させることによって売上管理データの管理項目に「売り場単位」を設定しているだけであり、バーコードフォーマットを変更しているものではない。
従って産地直売所の課題である、出荷者毎に異なる価格設定のリアルタイム変更、「新規出荷者X商品種類＝新規ＰＯＳレジスターデータ登録数」という無駄なＰＯＳシステム上のデータ増加の防止、商品数量や価格帯の増減に的確に対応できるシステムの提供を解決できていない。
また、特許文献２は、「製品の生産背景の表示されたバーコード情報により、消費者が分析された環境に配慮された製品情報を確認する方法」にあるようにバーコードのコード体系内に「生産者認識コード」を設けて、「原産地、商品分類、遺伝子操作、安全性、環境汚染管理、生産環境、原料の生産方法、生産時期等」の情報を確認できるシステムが提案されているが、産地直売所の商品のように同一種類の商品であっても生産者が異なる場合の生産履歴の開示を「従来の汎用バーコードフォーマットである１３桁」で実現しているものではない。
また、特許文献３は、「農薬管理方法」のような商品管理方法が提案されており、この方法によると販売現場の在庫情報がリアルタイムに管理できるが、商品棚に商品の有無を検出するセンサーが必要であることから、産地直売所の様に商品の種類や販売個数が常時変化する販売環境には不適切であり、センサー設置による管理コストの増加は、商品単価の上昇に結び付くので、産地直売所の商品在庫確認方法としても不適切である。
このように、従来のＰＯＳレジスターシステムによる販売管理システムや生産履歴開示方法、また販売現場の在庫状況リアルタイム管理システムでは、複数の農産物生産者、加工食品製造者およびそれらの出荷者が出荷した商品を販売する、農産物直売所の課題を解決するものではなく、そのシステムの利用者および運用者にとって簡単かつ便利なＰＯＳレジスターシステムの提案が望まれる。
【特許文献１】特開平７−７８２９０号公報
【特許文献２】特開２００２−６３３８９号公報
【特許文献３】特開平７−１２３１６６号公報
【発明の開示】
【発明が解決しようとする課題】
【０００３】
前述のように、従来のＰＯＳレジスターシステムでは産地直売所等での農産物や加工食品の店頭在庫の不足に対する商品数の補充や、急な新商品の追加や、鮮度変化に応じた迅速な商品価格変更に関して各出荷者単位で容易に対応ができない。また次世代の商品管理の１つとして、現在、消費者レベルでも注目されてきつつある農産物トレーサビリティー（本願明細書内では「生産履歴」と称し、「出荷者の氏名、出荷者の電話番号、出荷者の顔写真、栽培品の名称、栽培した場所、農作業内容、使用した肥料、使用した農薬等の栽培管理に関する情報」を示す）の表示に対する各商品の出荷者が商品個別の詳細な説明を、販売現場であるの産地直販所や消費者が各家庭に持ち帰った後に、簡単な方法で確認することができない。
また、産地直売所への新規販売参入者の増加に伴う、ＰＯＳレジスターシステムのデータベースの記憶用メモリーへの負担や、管理コストの増大を招いてしまい、結果的に無駄なデータ量増加によるデーターベース管理コストの増大は、販売価格の上昇を招き、新規の出荷者の参入によるバラエティーに富んだ商品陳列は、消費者への商品価格の上昇という形で負担を強いることになる。
また、現状の産地直売所におけるＰＯＳレジスターシステムは、出荷者毎に一日の売上管理や１ヶ月毎の各販売店舗毎の出荷者全員をまとめた売上詳細の精算管理ができたり、その精算書類を各販売店舗や代表者へ電子メールで通知できたりするという極めて一般的な機能を有するものでしかない。
【０００４】
そこで、本発明の目的は、このような従来の問題を解決し、産地直売所における消費者ニーズである「品揃え・新鮮・安価・安全」という要望を十分に満足させる販売管理運営のために、いつ店舗を訪れてもバラエティーに富んだ商品を豊富に揃えるための、出荷者毎の店頭商品在庫の正確なリアルタイム数量管理、出荷者や商品種類の数量変化に容易に対応できる合理的な事務処理、商品毎の正確な鮮度管理と商品価格への迅速な反映、及び、農産物商品の生産履歴管理データの開示を高齢者や農家の婦人層にも簡単に、しかも一貫したシステムで楽に販売管理できる様に、農産物直売所と各商品の出荷者をネットワーク接続（主には電話回線やインターネット回線）させたＰＯＳレジスターを含む農産物販売管理システムと販売管理方法を提供することにある。
【課題を解決するための手段】
【０００５】
請求項１記載の本発明の農産物販売管理システムは、複数の農産物生産者、加工食品製造者およびそれらの出荷者が、出荷した商品を販売するための農産物直売所とネットワーク接続された農産物販売管理システムであって、前記農作物生産者や前記加工食品製造者が出荷者となり納品した商品を消費者が購入する際、購入された商品の精算時に商品に予め貼り付けられたバーコードラベルのバーコードを読み取り、売り上げデータとして送信するＰＯＳ端末装置と、前記売上データを受信して蓄積およびデータ処理をするサーバーセンターとを備え、前記サーバーセンターは、前記バーコード情報を収集し、販売データを前記バーコードの情報を利用してリアルタイム又は予め設定した比較的短い間隔で前記各出荷者別の販売データとして蓄積する販売管理サーバー装置と、前記各出荷者別の前記販売データを売り上げ情報としてリアルタイム又は予め設定した比較的短い間隔で、前記出荷者へ電子メール、音声、ＦＡＸのいずれか１方法、あるいは２以上の方法で送信する電子メール／音声／ＦＡＸ送信サーバー装置と、前記販売管理サーバーに接続され、前記販売管理サーバー装置内のデータから一日の売上を精算して売上精算書を生成する管理用コンピューター装置と、で構成されたことを特徴とする。
請求項２記載の本発明の農産物販売管理システムは、複数の農産物生産者、加工食品製造者およびそれらの出荷者が、出荷した商品を販売するための農産物直売所とネットワーク接続された農産物販売管理システムであって、前記農作物生産者や前記加工食品製造者が出荷者となり納品した商品を消費者が購入する際、購入された商品の精算時に商品に予め貼り付けられたバーコードラベルのバーコードを読み取り、売り上げデータとして送信するＰＯＳ端末装置と、前記売上データを受信して蓄積およびデータ処理をするサーバーセンターとを備え、前記サーバーセンターは、前記バーコード情報を収集し、販売データを前記バーコードの情報を利用してリアルタイム又は予め設定した比較的短い間隔で前記各出荷者別の販売データとして蓄積する販売管理サーバー装置と、前記各出荷者別の前記販売データを売り上げ情報としてリアルタイム又は予め設定した比較的短い間隔で、前記加工食品等の複数の材料で構成される商品の材料出荷者の一部又は全員へ電子メール、音声、ＦＡＸのいずれか１方法、あるいは２以上の方法で送信する電子メール／音声／ＦＡＸ送信サーバー装置と、前記販売管理サーバーに接続され、前記販売管理サーバー装置内のデータから一日の売上を精算して売上精算書を生成する管理用コンピューター装置と、で構成されたことを特徴とする。
請求項３記載の本発明は、複数の農産物生産者、加工食品製造者およびそれらの出荷者が、出荷した商品を販売するための農産物直売所とネットワーク接続された農産物販売管理システムであって、前記農作物生産者や前記加工食品製造者が出荷者となり納品した商品を消費者が購入する際、購入された商品の精算時に商品に予め貼り付けられたバーコードラベルのバーコードを読み取り、売り上げデータとして送信するＰＯＳ端末装置と、前記売上データを受信して蓄積およびデータ処理をするサーバーセンターとを備え、前記サーバーセンターは、前記バーコード情報を収集し、販売データを前記バーコードの情報を利用してリアルタイム又は予め設定した比較的短い間隔で前記各出荷者別の販売データとして蓄積する販売管理サーバー装置と、前記各出荷者別の前記販売データを売り上げ情報としてリアルタイム又は予め設定した比較的短い間隔で、前記出荷者へ電子メール、音声、ＦＡＸのいずれか１方法、あるいは２以上の方法で送信する電子メール／音声／ＦＡＸ送信サーバー装置と、前記販売管理サーバーに接続され、前記販売管理サーバー装置内のデータから一日の売上を精算して売上精算書を生成する管理用コンピューター装置と、前記管理用コンピューター装置に接続され、前記消費者が購入した前記商品の生産履歴を蓄積している生産履歴サーバー装置と、で構成されたことを特徴とする。
請求項４記載の本発明は、複数の農産物生産者、加工食品製造者およびそれらの出荷者が、出荷した商品を販売するための農産物直売所とネットワーク接続された農産物販売管理システムであって、前記農作物生産者や前記加工食品製造者が出荷者となり納品した商品を消費者が購入する際、購入された商品の精算時に商品に予め貼り付けられたバーコードラベルのバーコードを読み取り、売り上げデータとして送信するＰＯＳ端末装置と、前記売上データを受信して蓄積およびデータ処理をするサーバーセンターとを備え、前記サーバーセンターは、前記バーコード情報を収集し、販売データを前記バーコードの情報を利用してリアルタイム又は予め設定した比較的短い間隔で前記各出荷者別の販売データとして蓄積する販売管理サーバー装置と、前記各出荷者別の前記販売データを売り上げ情報としてリアルタイム又は予め設定した比較的短い間隔で、前記加工食品等の複数の材料で構成される商品の材料出荷者の一部又は全員へ電子メール、音声、ＦＡＸのいずれか１方法、あるいは２以上の方法で送信する電子メール／音声／ＦＡＸ送信サーバー装置と、前記販売管理サーバーに接続され、前記販売管理サーバー装置内のデータから一日の売上を精算して売上精算書を生成する管理用コンピューター装置と、前記管理用コンピューター装置に接続され、前記消費者が購入した前記商品の生産履歴を蓄積している生産履歴サーバー装置と、で構成されたことを特徴とする。
請求項５記載の本発明のＰＯＳ端末装置は、請求項１から請求項４のいずれかに記載の農産物販売管理システムに用いるＰＯＳ端末装置であって、前記バーコードラベルの前記バーコードが、前記農産物直売所で販売する商品であることを示す特殊コードと、前記出荷者毎に異なる出荷者コードと、前記商品毎に異なる商品コードと、前記商品の金額を示す金額コードと、前記バーコードの読み誤りエラーをチェックするチェックデジットとで構成され、前記バーコードのフォーマット中の任意の桁に、１０のｎ乗に相当する０から９のいずれかの指数ｎが組み込まれ、ｎが「０」であれば「１円単位」、「１」であれば「１０円単位」、「２」であれば「１００円単位」のように、指数ｎの数字と金額単位との関係をあらかじめ記憶しておき、読み取った前記金額コードに前記指数ｎによって定義される前記金額単位を乗算することで前記商品の金額を算出することを特徴とする。
請求項６記載の本発明のＰＯＳ端末装置は、請求項１から請求項４のいずれかに記載の農産物販売管理システムに用いるＰＯＳ端末装置であって、前記バーコードラベルの前記バーコードが、前記農産物直売所で販売する商品であることを示す特殊コードと、前記出荷者毎に異なる出荷者コードと、前記商品毎に異なる商品コードと、前記商品の金額を示す金額コードと、前記バーコードの読み誤りエラーをチェックするチェックデジットとで構成され、前記バーコードのフォーマット中の任意の桁に、１０のｎ乗に相当する指数ｎが組み込まれ、ｎが「０」であれば「１円単位」、「１」であれば「１０円単位」、「２」であれば「１００円単位」のように、指数ｎの数字と金額単位との関係をあらかじめ記憶しておき、読み取った前記金額コードに前記指数ｎによって定義される前記金額単位を乗算することで前記商品の金額を算出し、前記出荷者コードを元に、あらかじめ定義された出荷者氏名、出荷者電話番号、商品名、出荷個数、出荷日等の付加情報を、前記販売管理サーバー装置から読み出すことを特徴とする。
請求項７記載の本発明の農産物販売管理方法は、複数の農産物生産者、加工食品製造者およびそれらの出荷者が、出荷した商品を販売するための農産物直売所とネットワーク接続された農産物販売管理システムの販売管理方法であって、前記農作物生産者や前記加工食品製造者が出荷者となり納品した商品を消費者が購入する際、購入された商品の精算時に商品に予め貼り付けられたバーコードラベルのバーコードをＰＯＳ端末装置で読み取るステップと、前記ＰＯＳ端末装置で読み取ったデータを売上データとして送信するステップと、前記売上データを受信して販売管理サーバー装置に蓄積するステップと、前記売上データをリアルタイム又は予め設定した比較的短い間隔で前記各出荷者別の販売データとして編集するステップと、前記各出荷者別の前記販売データを売り上げ情報としてリアルタイム又は予め設定した比較的短い間隔で、出荷者へ電子メール、音声、ＦＡＸのいずれか１方法、あるいは２以上の方法で送信するステップと、前記販売管理サーバー装置内に蓄積された販売データを計算して前記各出荷者別の一日の売上精算書を生成するステップと、からなることを特徴とする。
請求項８記載の本発明の農産物販売管理方法は、複数の農産物生産者、加工食品製造者およびそれらの出荷者が、出荷した商品を販売するための農産物直売所とネットワーク接続された農産物販売管理システムの販売管理方法であって、前記農作物生産者や前記加工食品製造者が出荷者となり納品した商品を消費者が購入する際、購入された商品の精算時に商品に予め貼り付けられたバーコードラベルのバーコードをＰＯＳ端末装置で読み取るステップと、前記ＰＯＳ端末装置で読み取ったデータを売上データとして送信するステップと、前記売上データを受信して販売管理サーバー装置に蓄積するステップと、前記売上データをリアルタイム又は予め設定した比較的短い間隔で各出荷者別の販売データとして編集するステップと、前記各出荷者別の販売データを売り上げ情報としてリアルタイム又は予め設定した比較的短い間隔で、前記加工食品等の複数の材料で構成される商品の材料出荷者の一部又は全員へ電子メール、音声、ＦＡＸのいずれか１方法、あるいは２以上の方法で送信するステップと、前記販売管理サーバー装置内に蓄積された販売データを計算して、前記加工食品等の複数の前記材料で構成される前記商品の前記材料出荷者の一部又は全員の一日の売上精算書を生成するステップと、からなることを特徴とする。
請求項９記載の本発明の農産物販売管理方法は、複数の農産物生産者、加工食品製造者およびそれらの出荷者が、出荷した商品を販売するための農産物直売所とネットワーク接続された農産物販売管理システムの販売管理方法であって、前記農作物生産者や前記加工食品製造者が出荷者となり納品した商品を消費者が購入する際、購入された商品の精算時に商品に予め貼り付けられたバーコードラベルのバーコードをＰＯＳ端末装置で読み取るステップと、前記ＰＯＳ端末装置で読み取ったデータを売上データとして送信するステップと、前記売上データを受信して販売管理サーバー装置に蓄積するステップと、前記売上データをリアルタイム又は予め設定した比較的短い間隔で各出荷者別の販売データとして編集するステップと、前記各出荷者別の販売データを売り上げ情報としてリアルタイム又は予め設定した比較的短い間隔で、出荷者へ電子メール、音声、ＦＡＸのいずれか１方法、あるいは２以上の方法で送信するステップと、前記販売管理サーバー装置内に蓄積された販売データを計算して前記各出荷者別の一日の売上精算書を生成するステップと、前記商品を購入した消費者が、各自で自分の購入した前記商品の生産履歴を確認する際、前記消費者が購入した商品のバーコードラベルに記載されたバーコード情報を生産履歴開示用コンピューターで読み取るステップと前記生産履歴開示用コンピューターで読み取った前記バーコード情報を前記生産履歴管理サーバーへ送信するステップと前記生産履歴開示用コンピューターへ前記消費者から問い合わせ要求がされた生産履歴情報を送信するステップと、前記生産履歴開示用コンピューターのモニター画面に該当の生産履歴を表示するステップと、からなることを特徴とする。
請求項１０記載の本発明の農産物販売管理方法は、複数の農産物生産者、加工食品製造者およびそれらの出荷者が、出荷した商品を販売するための農産物直売所とネットワーク接続された農産物販売管理システムの販売管理方法であって、前記農作物生産者や前記加工食品製造者が出荷者となり納品した商品を消費者が購入する際、購入された商品の精算時に商品に予め貼り付けられたバーコードラベルのバーコードをＰＯＳ端末装置で読み取るステップと、前記ＰＯＳ端末装置で読み取ったデータを売上データとして送信するステップと、前記売上データを受信して販売管理サーバー装置に蓄積するステップと、前記売上データをリアルタイム又は予め設定した比較的短い間隔で各出荷者別の販売データとして編集するステップと、前記各出荷者別の販売データを売り上げ情報としてリアルタイム又は予め設定した比較的短い間隔で、前記加工食品等の複数の材料で構成される商品の材料出荷者の一部又は全員へ電子メール、音声、ＦＡＸのいずれか１方法、あるいは２以上の方法で送信するステップと、前記販売管理サーバー装置内に蓄積された販売データを計算して、前記加工食品等の複数の材料で構成される商品の材料出荷者の一部又は全員の一日の売上精算書を生成するステップと、前記商品を購入した消費者が、各自で自分の購入した前記商品の生産履歴を確認する際、前記消費者が購入した商品のバーコードラベルに記載されたバーコード情報を生産履歴開示用コンピューターで読み取るステップと前記生産履歴開示用コンピューターで読み取った前記バーコード情報を前記生産履歴管理サーバーへ送信するステップと前記生産履歴開示用コンピューターへ前記消費者から問い合わせ要求がされた生産履歴情報を送信するステップと、前記生産履歴開示用コンピューターのモニター画面に該当の生産履歴を表示するステップと、からなることを特徴とする。
請求項１１記載の本発明のＰＯＳ端末装置は、請求項７から請求項１０のいずれかに記載の農産物販売管理方法に用いるＰＯＳ端末装置であって、前記バーコードラベルのバーコードが、前記農産物直売所で販売する商品であることを示す特殊コードと、出荷者毎に異なる出荷者コードと、商品毎に異なる商品コードと、商品の金額を示す金額コードと、バーコードの読み誤りエラーをチェックするチェックデジットとで構成され、前記バーコードのフォーマット中の任意の桁に、１０のｎ乗に相当する指数ｎが組み込まれ、ｎが「０」であれば「１円単位」、「１」であれば「１０円単位」、「２」であれば「１００円単位」のように、指数ｎの数字と金額単位との関係をあらかじめ記憶しておき、読み取った前記金額コードに前記指数ｎによって定義される前記金額単位を乗算することで前記商品の金額を算出することを特徴とする。
【発明の効果】
【０００６】
本発明によれば、産地直売所における消費者ニーズである「品揃え・新鮮・安価・安全」という要望を十分に満足させる販売管理運営である、いつ店舗を訪れてもバラエティーに富んだ商品を豊富に揃えるための、出荷者毎の店頭商品在庫の正確なリアルタイム数量管理、出荷者や商品種類の数量変化に容易に対応できる合理的な事務処理、商品毎の正確な鮮度管理と商品価格への迅速な反映、農産物商品の生産履歴管理データの開示を一貫したシステムで販売管理することができる。特に、出荷者と商品種類と商品価格の管理が煩雑な農産物等の直売所におけるＰＯＳレジスターのバーコード管理の簡素化と、自由度の高い販売管理システムの構築ができ、更に２次運営者である出荷者（農産物生産者及び加工食品製造者）にやさしいシステムを提供することができる。
【発明を実施するための最良の形態】
【０００７】
本発明の第１の実施の形態による農産物販売管理システムは、農作物生産者や加工食品製造者が出荷者となり納品した商品を消費者が購入する際、購入された商品の精算時に商品に予め貼り付けられたバーコードラベルのバーコードを読み取り、売り上げデータとして送信するＰＯＳ端末装置と、売上データを受信して蓄積およびデータ処理をするサーバーセンターとを備え、サーバー手段は、バーコード情報を収集し、リアルタイム又は予め設定した比較的短い間隔で各出荷者別の販売データとして蓄積する販売管理サーバー装置と、各出荷者別の販売データを売り上げ情報としてリアルタイム又は予め設定した比較的短い間隔で、出荷者へ電子メール、音声、ＦＡＸのいずれか１方法、あるいは２以上の方法で送信する電子メール／音声／ＦＡＸ送信サーバー装置と、販売管理サーバーに接続され、販売管理サーバー内のデータから一日の売上を精算して売上精算書を生成する管理用コンピューター装置とで構成されたものである。本実施の形態によれば、複数の農産物生産者や加工食品製造者が出荷した商品が並ぶ農産物の産地直売所における商品の販売管理を、リアルタイム又は予め設定した比較的短い間隔で販売現場以外の遠隔地から行うことができるので、商品を絶え間なく消費者に供給することができる。また、出荷者は前日の早い時期での商品毎の売上傾向の把握によって、翌日の出荷準備を前日の早い時期に行うことができる。
本発明の第２の実施の形態による農産物販売管理システムは、農作物生産者や加工食品製造者が出荷者となり納品した商品を消費者が購入する際、購入された商品の精算時に商品に予め貼り付けられたバーコードラベルのバーコードを読み取り、売り上げデータとして送信するＰＯＳ端末装置と、売上データを受信して蓄積およびデータ処理をするサーバーセンターとを備え、サーバー手段は、バーコード情報を収集し、リアルタイム又は予め設定した比較的短い間隔で各出荷者別の販売データとして蓄積する販売管理サーバー装置と、各出荷者別の販売データを売り上げ情報としてリアルタイム又は予め設定した比較的短い間隔で、加工食品等の複数の材料で構成される商品の材料出荷者の一部又は全員へ電子メール、音声、ＦＡＸのいずれか１方法、あるいは２以上の方法で送信する電子メール／音声／ＦＡＸ送信サーバー装置と、販売管理サーバーに接続され、販売管理サーバー内のデータから一日の売上を精算して売上精算書を生成する管理用コンピューター装置とで構成されたものである。本実施の形態によれば、複数の農産物生産者や加工食品製造者が出荷した商品が並ぶ農産物の産地直売所における商品や加工食品等の複数の材料で構成される商品の材料の販売管理を、リアルタイム又は予め設定した比較的短い間隔で販売現場以外の遠隔地から行うことができるので、商品や加工食品等の複数の材料で構成される商品を絶え間なく消費者に供給することができる。また、出荷者や加工食品等の複数の材料で構成される商品の材料出荷者は前日の早い時期での商品毎の売上傾向の把握によって、翌日の出荷準備を前日の早い時期に行うことができる。
本発明の第３の実施の形態による農産物販売管理システムは、農作物生産者や加工食品製造者が出荷者となり納品した商品を消費者が購入する際、購入された商品の精算時に商品に予め貼り付けられたバーコードラベルのバーコードを読み取り、売り上げデータとして送信するＰＯＳ端末装置と、売上データを受信して蓄積およびデータ処理をするサーバーセンターとを備え、サーバー手段は、バーコード情報を収集し、リアルタイム又は予め設定した比較的短い間隔で各出荷者別の販売データとして蓄積する販売管理サーバー装置と、各出荷者別の販売データを売り上げ情報としてリアルタイム又は予め設定した比較的短い間隔で、出荷者へ電子メール、音声、ＦＡＸのいずれか１方法、あるいは２以上の方法で送信する電子メール／音声／ＦＡＸ送信サーバー装置と、販売管理サーバーに接続され、販売管理サーバー装置内のデータから一日の売上を精算して売上精算書を生成する管理用コンピューター装置と、管理用コンピューター装置に接続され、消費者が購入した商品の生産履歴を蓄積している生産履歴サーバー装置とで構成されたものである。本実施の形態によれば、複数の農産物生産者や加工食品製造者が出荷した商品が並ぶ農産物の産地直売所における商品の販売管理を、リアルタイムに販売現場以外の遠隔地から行うことができるので、商品を絶え間なく消費者に供給するのと同時に、その商品の生産履歴を消費者への安心として供給することができる。また、出荷者は前日の早い時期での商品毎の売上傾向の把握によって、翌日の出荷準備を前日の早い時期に行うことができる。
本発明の第４の実施の形態による農産物販売管理システムは、農作物生産者や加工食品製造者が出荷者となり納品した商品を消費者が購入する際、購入された商品の精算時に商品に予め貼り付けられたバーコードラベルのバーコードを読み取り、売り上げデータとして送信するＰＯＳ端末装置と、売上データを受信して蓄積およびデータ処理をするサーバーセンターとを備え、サーバー手段は、バーコード情報を収集し、リアルタイム又は予め設定した比較的短い間隔で各出荷者別の販売データとして蓄積する販売管理サーバー装置と、各出荷者別の販売データを売り上げ情報としてリアルタイム又は予め設定した比較的短い間隔で、加工食品等の複数の材料で構成される商品の材料出荷者の一部又は全員へ電子メール、音声、ＦＡＸのいずれか１方法、あるいは２以上の方法で送信する電子メール／音声／ＦＡＸ送信サーバー装置と、販売管理サーバーに接続され、販売管理サーバー内のデータから一日の売上を精算して売上精算書を生成する管理用コンピューター装置と、管理用コンピューター装置に接続され、消費者が購入した商品の生産履歴を蓄積している生産履歴サーバー装置とで構成されたものである。本実施の形態によれば、複数の農産物生産者や加工食品製造者が出荷した商品が並ぶ農産物の産地直売所における商品や加工食品等の複数の材料で構成される商品の材料の販売管理を、リアルタイム又は予め設定した比較的短い間隔で販売現場以外の遠隔地から行うことができるので、商品や加工食品等の複数の材料で構成される商品を絶え間なく消費者に供給することができるのと同時に、その商品の生産履歴を消費者への安心として供給することができる。また、出荷者や加工食品等の複数の材料で構成される商品の材料出荷者は前日の早い時期での商品毎の売上傾向の把握によって、翌日の出荷準備を前日の早い時期に行うことができる。なお、第１から第４の実施の形態に記載した農産物の売り上げ情報の配信は、自動的に配信する方式であってもいいし、各出荷者が自ら売り上げ情報を取得する方式であってもよい。
本発明の第５の実施の形態によるＰＯＳ端末装置は、商品のバーコードラベルのバーコードが、農産物直売所で販売する商品であることを示す特殊コードと、出荷者毎に異なる出荷者コードと、商品毎に異なる商品コードと、商品の金額を示す金額コードと、バーコードの読み誤りエラーをチェックするチェックデジットとで構成され、バーコードのフォーマット中の任意の桁に、１０のｎ乗に相当する指数ｎが組み込まれ、ｎが「０」であれば「１円単位」、「１」であれば「１０円単位」、「２」であれば「１００円単位」のように、指数ｎの数字と金額単位との関係をあらかじめ記憶しておき、読み取った金額コードに指数ｎによって定義される金額単位を乗算することで商品の金額を算出するものである。本実施の形態によれば、農産物の産地直売所におけるＰＯＳレジスターシステムの１３桁というバーコードフォーマットの範囲内で、出荷者の増加や商品の種類の増加に伴うバーコードの桁数の不足を補うことができ、商品の金額コード部も支障なく使用できる。
本発明の第６の実施の形態によるＰＯＳ端末装置は、商品のバーコードラベルのバーコードが、記農産物直売所で販売する商品であることを示す特殊コードと、出荷者毎に異なる出荷者コードと、商品毎に異なる商品コードと、商品の金額を示す金額コードと、バーコードの読み誤りエラーをチェックするチェックデジットとで構成され、バーコードのフォーマット中の任意の桁に、１０のｎ乗に相当する指数ｎが組み込まれ、ｎが「０」であれば「１円単位」、「１」であれば「１０円単位」、「２」であれば「１００円単位」のように、指数ｎの数字と金額単位との関係をあらかじめ記憶しておき、読み取った金額コードに指数ｎによって定義される金額単位を乗算することで商品の金額を算出し、出荷者コードを元に、あらかじめ定義された出荷者氏名、出荷者電話番号、商品名、出荷個数、出荷日等の付加情報を、販売管理サーバー装置から読み出すものである。本実施の形態によれば、農産物の産地直売所において、出荷者情報と各種商品情報を関連付けてＰＯＳレジスターシステムへ登録することによって、商品の販売管理サーバーでの管理データベース量の節約ができる。
本発明の第７の実施の形態による農産物販売管理システムの販売管理方法は、農作物生産者や加工食品製造者が出荷者となり納品した商品を消費者が購入する際、購入された商品の精算時に商品に予め貼り付けられたバーコードラベルのバーコードをＰＯＳ端末装置で読み取るステップと、ＰＯＳ端末装置で読み取ったデータを売上データとして送信するステップと、販売データを受信して販売管理サーバー装置に蓄積するステップと、販売データをリアルタイム又は予め設定した比較的短い間隔で各出荷者別の販売データとして編集するステップと、各出荷者別の販売データを売り上げ情報としてリアルタイム又は予め設定した比較的短い間隔で、出荷者へ電子メール、音声、ＦＡＸのいずれか１方法、あるいは２以上の方法で送信するステップと、販売管理サーバー内に蓄積された販売データを計算して各出荷者別の一日の売上精算書を生成するステップと、を有するものである。本実施の形態によれば、複数の農産物生産者や加工食品製造者が出荷した商品が並ぶ農産物の産地直売所における商品の販売管理を、リアルタイム又は予め設定した比較的短い間隔で販売現場以外の遠隔地から行うことができるので、商品を絶え間なく消費者に供給することができる。また、出荷者は前日の早い時期での商品毎の売上傾向の把握によって、翌日の出荷準備を前日の早い時期に行うことができる。
本発明の第８の実施の形態による農産物販売管理システムの販売管理方法は、農作物生産者や加工食品製造者が出荷者となり納品した商品を消費者が購入する際、購入された商品の精算時に商品に予め貼り付けられたバーコードラベルのバーコードをＰＯＳ端末装置で読み取るステップと、ＰＯＳ端末装置で読み取ったデータを売上データとして送信するステップと、販売データを受信して販売管理サーバー装置に蓄積するステップと、販売データをリアルタイム又は予め設定した比較的短い間隔で各出荷者別の販売データとして編集するステップと、各出荷者別の販売データを売り上げ情報としてリアルタイム又は予め設定した比較的短い間隔で、加工食品等の複数の材料で構成される商品の材料出荷者の一部又は全員へ電子メール、音声、ＦＡＸのいずれか１方法、あるいは２以上の方法で送信するステップと、販売管理サーバー内に蓄積された販売データを計算して、加工食品等の複数の材料で構成される商品の材料出荷者の一部又は全員の一日の売上精算書を生成するステップと、を有するものである。本実施の形態によれば、複数の農産物生産者や加工食品製造者が出荷した商品が並ぶ農産物の産地直売所における商品や加工食品等の複数の材料で構成される商品の材料の販売管理を、リアルタイム又は予め設定した比較的短い間隔で販売現場以外の遠隔地から行うことができるので、商品や加工食品等の複数の材料で構成される商品を絶え間なく消費者に供給することができる。また、出荷者や加工食品等の複数の材料で構成される商品の材料出荷者は、前日の早い時期での商品毎の売上傾向の把握によって、翌日の出荷準備を前日の早い時期に行うことができる。
本発明の第９の実施の形態による農産物販売管理システムの販売管理方法は、農作物生産者や加工食品製造者が出荷者となり納品した商品を消費者が購入する際、購入された商品の精算時に商品に予め貼り付けられたバーコードラベルのバーコードをＰＯＳ端末装置で読み取るステップと、ＰＯＳ端末装置で読み取ったデータを売上データとして送信するステップと、販売データを受信して販売管理サーバー装置に蓄積するステップと、販売データをリアルタイム又は予め設定した比較的短い間隔で各出荷者別の販売データとして編集するステップと、各出荷者別の販売データを売り上げ情報としてリアルタイム又は予め設定した比較的短い間隔で、出荷者へ電子メール、音声、ＦＡＸのいずれか１方法、あるいは２以上の方法で送信するステップと、販売管理サーバー内に蓄積された販売データを計算して各出荷者別の一日の売上精算書を生成するステップと、商品を購入した消費者が、各自で自分の購入した商品の生産履歴を確認する際、消費者が購入した商品のバーコードラベルに記載されたバーコード情報を生産履歴開示用コンピューターで読み取るステップと、生産履歴開示用コンピューターで読み取ったバーコード情報を生産履歴管理サーバーへ送信するステップと、生産履歴開示用コンピューターへ消費者から問い合わせ要求がされた生産履歴情報を送信するステップと、生産履歴開示用コンピューターのモニター画面に該当の生産履歴を表示ステップとを有するものである。本実施の形態によれば、複数の農産物生産者や加工食品製造者が出荷した商品が並ぶ農産物の産地直売所における商品の販売管理を、リアルタイムに販売現場以外の遠隔地から行うことができるので、商品を絶え間なく消費者に供給するのと同時に、その商品の生産履歴を消費者への安心として供給することができる。また、出荷者は前日の早い時期での商品毎の売上傾向の把握によって、翌日の出荷準備を前日の早い時期に行うことができる。
本発明の第１０の実施の形態による農産物販売管理システムの販売管理方法は、農作物生産者や加工食品製造者が出荷者となり納品した商品を消費者が購入する際、購入された商品の精算時に商品に予め貼り付けられたバーコードラベルのバーコードをＰＯＳ端末装置で読み取るステップと、ＰＯＳ端末装置で読み取ったデータを売上データとして送信するステップと、販売データを受信して販売管理サーバー装置に蓄積するステップと、販売データをリアルタイム又は予め設定した比較的短い間隔で各出荷者別の販売データとして編集するステップと、各出荷者別の販売データを売り上げ情報としてリアルタイム又は予め設定した比較的短い間隔で、加工食品等の複数の材料で構成される商品の材料出荷者の一部又は全員へ電子メール、音声、ＦＡＸのいずれか１方法、あるいは２以上の方法で送信するステップと、販売管理サーバー内に蓄積された販売データを計算して、加工食品等の複数の材料で構成される商品の材料出荷者の一部又は全員の一日の売上精算書を生成するステップと、商品を購入した消費者が、各自で自分の購入した商品の生産履歴を確認する際、消費者が購入した商品のバーコードラベルに記載されたバーコード情報を生産履歴開示用コンピューターで読み取るステップと、生産履歴開示用コンピューターで読み取ったバーコード情報を生産履歴管理サーバーへ送信するステップと、生産履歴開示用コンピューターへ消費者から問い合わせ要求がされた生産履歴情報を送信するステップと、生産履歴開示用コンピューターのモニター画面に該当の生産履歴を表示ステップとを有するものである。本実施の形態によれば、複数の農産物生産者や加工食品製造者が出荷した商品が並ぶ農産物の産地直売所における商品や、加工食品等の複数の材料で構成される商品の材料の販売管理を、リアルタイム又は予め設定した比較的短い間隔で販売現場以外の遠隔地から行うことができるので、商品や加工食品等の複数の材料で構成される商品を、絶え間なく消費者に供給することができるのと同時に、その商品の生産履歴を消費者への安心として供給することができる。また、出荷者や加工食品等の複数の材料で構成される商品の材料出荷者は、前日の早い時期での商品毎の売上傾向の把握によって、翌日の出荷準備を前日の早い時期に行うことができる。
本発明の第１１の実施の形態のＰＯＳ端末装置は、商品のバーコードラベルのバーコードが、農産物直売所で販売する商品であることを示す特殊コードと、出荷者毎に異なる出荷者コードと、商品毎に異なる商品コードと、商品の金額を示す金額コードと、バーコードの読み誤りエラーをチェックするチェックデジットとで構成され、バーコードの中の任意の桁に、１０のｎ乗に相当する指数ｎが組み込まれ、ｎが「０」であれば「１円単位」、「１」であれば「１０円単位」、「２」であれば「１００円単位」のように、指数ｎの数字と金額単位との関係をあらかじめ記憶しておき、読み取った金額コードに指数ｎによって定義される金額単位を乗算することで商品の金額を算出するものである。本実施の形態によれば、農産物の産地直売所におけるＰＯＳレジスターシステムの１３桁というバーコードフォーマットの範囲内で、出荷者の増加や商品の種類の増加に伴うバーコードの桁数の不足を補うことができ、商品の金額コード部も支障なく使用できる。
【実施例１】
【０００８】
本発明の農産物販売管理システムの一実施例について図面を参照しながら説明する。
図１は、本発明の一実施例による農産物販売管理システムの概略構成図である。この農産物販売管理システムは、農産物直売所１と、サーバーセンター２と、バーコードラベル作成装置３で構成される。農産物直売所１にはＰＯＳ端末装置１１とバーコード読み取り装置１２が設置され、サーバーセンター２には販売管理サーバー２１と音声・ＦＡＸ・電子メールサーバー２２と管理用コンピューター２３が設置され、バーコードラベル作成装置３はバーコード作成用コンピューター３１と、専用キーボードと、バーコードラベルプリンター３２で構成され、農産物の出荷者４はパーソナルコンピューター４０、固定電話４１、ファクシミリ４２、携帯電話４３、ＰＤＡ４４等の情報通信機器を所有している。農産物直売所１とサーバーセンター２の間、バーコードラベル作成装置３とサーバーセンター２の間は通信回線で接続されている。出荷者４と管理用コンピューター２３の間と、出荷者４と音声・ＦＡＸ・電子メールサーバー２２の間も通信回線で接続されている。
【０００９】
消費者５が農産物直売所１で商品を購入する際の精算時、ＰＯＳ端末装置１１に接続されたバーコード読み取り装置１２で、商品に貼り付けられたバーコードラベル３３のバーコードをスキャンして、その商品の出荷者４情報、商品種類、金額情報他を読み取る。読み取られた情報は、売上データとして販売管理サーバー２１へ転送され、各種付加情報を加えて処理され蓄積される。蓄積された売上データは、予め出荷者４が設定した時間間隔で整理され、各出荷者４別の設定時間単位の売上データとして音声・ＦＡＸ・電子メールサーバー２２に蓄積される。
蓄積された各出荷者４別の設定時間単位の売上データは、音声・ＦＡＸ・電子メールサーバー２２から自動的に音声やファクシミリ４２や電子メールの手段を用いて出荷者４へ販売状況を通知する。また、一日終了時の売上精算は管理用コンピューター２３で管理され生成される。
また、出荷者４は移動中や自宅以外の場所からも使用する情報通信機器に応じて、ポーリング機能を用いて選択的に現時点の販売状況を取得することができる。
【実施例２】
【００１０】
図２は本発明の他の実施例による農業トレーサビリティー確認機能付きの農産物販売管理システムの概略構成図である。この農産物販売管理システムは、農産物直売所１と、サーバーセンター２と、バーコードラベル作成装置３と、生産履歴開示用コンピューター６で構成される。農産物直売所１にはＰＯＳ端末装置１１とバーコード読み取り装置１２が設置され、サーバーセンター２には販売管理サーバー２１と音声・ＦＡＸ・電子メールサーバー２２と管理用コンピューター２３と生産履歴サーバー２４が設置され、バーコードラベル作成装置３はバーコード作成用コンピューター３１と、専用キーボードと、バーコードラベルプリンター３２で構成され、農産物の出荷者４はパーソナルコンピューター４０、固定電話４１、ファクシミリ４２、携帯電話４３、ＰＤＡ４４等の情報通信機器を所有している。農産物直売所１とサーバーセンター２の間、バーコードラベル作成装置３とサーバーセンター２の間は通信回線で接続されている。出荷者４と管理用コンピューター２３の間と、出荷者４と音声・ＦＡＸ・電子メールサーバー２２の間と、出荷者４と生産履歴サーバー２４も通信回線で接続されている。
【００１１】
消費者５が農産物直売所１で商品を購入する際の精算時、ＰＯＳ端末装置１１に接続されたバーコード読み取り装置１２で商品に貼り付けられたバーコードラベル３３のバーコードをスキャンして、その商品の出荷者情報、商品種類、金額情報他を読み取る。読み取られた情報は、売上データとして販売管理サーバー２１へ転送され、各種付加情報を加えて処理され蓄積される。蓄積された売上データは、予め出荷者４が設定した時間間隔で整理され、各出荷者４別の設定時間単位の売上データとして音声・ＦＡＸ・電子メールサーバー２２に蓄積される。
蓄積された各出荷者４別の設定時間単位の売上データは、音声・ＦＡＸ・電子メールサーバー２２から自動的に音声やファクシミリ４２や電子メールの手段を用いて出荷者４へ販売状況を通知する。また、一日終了時の売上精算は管理用コンピューター２３で管理され生成される。
また、出荷者４は移動中や自宅以外の場所からも使用する情報通信機器に応じて、ポーリング機能を用いて選択的に現時点の販売状況を取得することができる。
一方、消費者５は、農産物直売所１においては設置されている生産履歴開示用コンピューター６を使って随時商品の生産履歴を閲覧することができる。また、商品購入後は自宅や移動中でも、パーソナルコンピューター５１や携帯電話５２とインターネット７を利用して自由に生産履歴を閲覧することができる。
【００１２】
なお、実施例１および実施例２における農産物直売所１とサーバーセンター２の間、バーコードラベル作成装置３とサーバーセンター２の間の通信回線（ネットワーク接続）はイントラネットでもインターネット７でもよく、設備間の距離や立地条件また使用条件に応じて選択できる。出荷者４と管理用コンピューター２３の間と、出荷者４と音声・ＦＡＸ・電子メールサーバー２２の間の通信回線はインターネット７や公衆電話網であり、使用する情報端末の種類や、出荷者４が契約している通信回線（ネットワーク接続）によって選択できる。また、専用線や各種ＤＤＸやファクシミリ４２通信網を使用する形態でも使用可能である。
また、出荷者４が生産履歴サーバー２４に生産履歴を入力する際の入力方法は、生産履歴記入専用のＯＣＲシートに記入したマークをイメージスキャナーで読み込み、自動入力処理する方法であってもよいし、キーボードを利用した手入力であってもよい。
また、ＰＯＳ端末装置１１は複数台でもよく、ＰＯＳ端末装置１１は遠く離れた別の農産物販売所に設置されていても構わない。同様に、バーコードラベル作成装置３も複数台で運用でき、相互に遠い距離に設置されていても構わない。また、バーコードラベル作成作業に用いる演算装置は、一般のパーソナルコンピューターでも専用装置であってもよく、データ入力装置もバーコードラベル作成専用キーボード以外の一般キーボードであってもよい。
また、バーコードラベル作成装置３とサーバーセンター２の間をインターネット７で接続することも可能であるので、各出荷者４の自宅にバーコードラベル作成装置３を設置することにより、より利便性が向上する。
なお図１と図２において、一日終了時の売上精算は管理用コンピューター２３で管理され生成され、管理用コンピューター２３から出荷者４への売上精算書の通知は、印刷された書類であることを前提としているが、ＦＡＸや電子ファイルをメールで送信したりするような通信回線を介する配信方法であってもよい。
【００１３】
図３は本実施例による農産物販売管理システムの運用説明図である。出荷者４は前日においては在庫商品に対し、当日においては農作物収穫に応じてバーコードラベルを農産物直売所１内に設置されたバーコード作成用コンピューター３１とバーコードラベルプリンター３２を利用してバーコードラベル３３を作成する。出荷者４は、予めバーコードラベル３３を貼り付けた商品を出荷し、農産物直売所１に陳列する。商品が売れると、その商品の出荷者４に売上情報が「音声」「ファクシミリ」「電子メール」の手段で通知される。電子メールによる通知例が図５の本実施例による農産物の売上情報を出荷者４が携帯電話４３で受信した場合の画面例の説明図である。出荷者４の携帯電話４３に売上情報４３ａが通知されている。出荷者４はこの通知によって陳列在庫の不足を知ることができ、早急に不足商品の補充をすることができる。また、一日終了時に売れ残った商品を把握することができるので、在庫引き取り判断によって、明日の出荷準備を早期に行うことができる。
なお、出荷者４が売上情報の通知を受け取る情報通信装置は、音声の場合は固定電話４１または携帯電話４３、紙文書の場合はファクシミリ４２、電子メールの場合はパーソナルコンピューター４０または携帯電話４３またはＰＤＡ４４の中から任意に選択できる。
【００１４】
図４は、本実施例による農産物販売管理システムにおける売上情報の配信予約画面の説明図である。出荷者４に対して売上情報リアルタイムに通知するか、設定した時刻に通知するのか選択する場合の画面構成が４０ａである。各出荷者４はこの画面を操作設定することにより、出荷者４毎に通知設定を自由に変更することができる。なお、画面構成４０bのような設定した時刻に通知するシンプルな仕様であってもよい。また、この設定をしていたとしても、出荷者４側から自発的にサーバーセンター２へ問い合わせをすることによって随時販売状況を知ることができる。その実施例について図６を用いて説明する。
図６は本実施例による農産物の売上情報配信手順の説明図である。音声またはファクシミリ４２で受信したい場合は、サーバーセンター２に電話をかけるステップ６１、サーバーセンター２の応答に従って出荷者コードを入力するステップ６２、次に暗証番号を入力するステップ６３、次に音声の場合はステップ６４を、ファクシミリ４２の場合はステップ６５を選択し、出荷者４の固定電話４１や携帯電話４３で音声によって売上報告を聞くステップ６６、出荷者４のファクシミリ４２で売上報告を受信するステップ６７で売上状況確認作業完了となる。電子メールによる自動配信の場合は、サーバーセンター２からインターネット７を介して出荷者４のパーソナルコンピューター４０や携帯電話４３やＰＤＡ４４に送信される。
【００１５】
なお、上記図６の説明では、農産物の売上情報の配信を、音声とＦＡＸについては各出荷者４が自ら電話をかけることによって売上情報を取得する方式で説明したが、売上毎あるいは予め設定した比較的短い間隔で自動的に配信する方式であってもよい。
また、図３〜図６を用いた本実施例では、農産物の出荷者４（生産者）に対する売上状況の通知システムについて説明したが、加工品や複数の出荷者４の納入部品によって１つの製品が出来上がる商品の場合は、その商品の売上状況を部品納入者全員にリアルタイムに通知するシステムであってもよい。
【００１６】
図７は従来のＰＯＳレジスターのバーコードフォーマットの説明図である。従来は、農産物直売所１を示す特殊コード８１が２桁、エラー確認用チェックデジット８５が１桁、残りの１０桁を商品の種類を示す商品コードと商品の価格を示す金額コードの２コードを任意に区切って使用していた。このバーコードフォーマットでは、農産物の出荷者４毎の管理はできないので、同じ商品が出荷者４毎に発生してしまい、商品登録データが「新規出荷者X商品種類＝新規ＰＯＳレジスターデータ登録数」という量で増加してしまう。また、農産物直売所１のように商品価格の幅が数十円から数万円に渡り、商品も数百種類になる運営形態においては、どうしても商品価格を管理するバーコードの金額コード領域が桁を多く使用してしまい、他の出荷者４数の増加や商品種類に増加に余裕を持ったバーコードフォーマットで運用できない不具合がある。
【００１７】
本実施例について図８から図１５のバーコードフォーマットの説明図を用いて解説する。
図８は本実施例に用いるバーコードフォーマットの説明図である。このフォーマットは特殊コード８１の１桁目が農産物直売所１を示し、２桁目に「０〜９」までのいずれかの数字ｎを設定する、次に出荷者４の識別をする出荷者コード８２を３桁、商品の識別をする商品コード８３を３桁、次に商品の価格を特殊コード８１の２桁目の数字を用いて計算する金額コード８４が４桁、最後にエラー確認用チェックデジット８５が１桁、で構成される。ここで、１０の０乗は１、１０の１乗は１０、１０の２乗は１００であるので、例えば、このｎが「０」であれば「１円単位」、「１」であれば「１０円単位」、「２」であれば「１００円単位」となる。ｎが「０」の場合、金額コードの４桁の数字×１＝商品の価格、ｎが「１」の場合、金額コードの４桁の数字×１０＝商品の価格、ｎが「２」の場合、金額コードの４桁の数字×１００＝商品の価格というように、この指数設定によって商品価格帯を簡単な設定で大きな桁で扱うことができるようになる。従って従来のバーコードフォーマットで問題となっていた桁数の不足を解消できるようになる。
例えば図８を使って具体的に説明すると、ｎが「０」であれば、商品の金額は０〜９９９９円まで設定できる。ｎが「１」であれば、商品の金額は０〜９９９９０円まで設定できる。ｎが「２」であれば、商品の金額は０〜９９９９００円まで設定できる。
従って図８ではバーコードの１０桁目が「２」であるので、ｎが「０」であれば、商品の金額は２００円Ｘ１＝２００円、ｎが「１」であれば、商品の金額は２００円Ｘ１０＝２０００円、ｎが「２」であれば、商品の金額は２００円Ｘ１００＝２００００円を表すことができる。
【００１８】
図９はｎの位置を出荷者コード８２の１桁目に設定した場合のバーコードフォーマットの説明図である。この設定によると出荷者コード８２は０１〜９９までの設定となるが、図８と同様に従来のバーコードフォーマットで問題となっていた桁数の不足を解消できる。なお、ここではｎの位置を出荷者コード８２の１桁目に設定したが、２桁目に設定しても、３桁目に設定しても同様の効果が得られる。
図１０はｎの位置を商品コード８３の１桁目に設定した場合のバーコードフォーマットの説明図である。この設定によると商品コード８３は０１〜９９までの設定となるが、図８と同様に従来のバーコードフォーマットで問題となっていた桁数の不足を解消できる。なお、ここではｎの位置を商品コード８３の１桁目に設定したが、２桁目に設定しても、３桁目に設定しても同様の効果が得られる。
図１１はｎの位置を金額コード８４の１桁目に設定した場合のバーコードフォーマットの説明図である。この設定によると、ｎが「０」の場合、金額コードの３桁の数字×１＝商品の価格、ｎが「１」の場合、金額コードの３桁の数字×１０＝商品の価格、ｎが「２」の場合、金額コードの３桁の数字×１００＝商品の価格というように、商品価格が粗くなるが、図８と同様に従来のバーコードフォーマットで問題となっていた桁数の不足を解消できる。なお、ここではｎの位置を金額コード８４の１桁目に設定したが、２桁目から４桁目のいずれの位置に設定しても同様の効果が得られる。
【００１９】
図１２は本実施例に用いる他のバーコードフォーマットの説明図である。このフォーマットは特殊コードの２桁目にｎを置き、出荷者コード８２を２桁分使用して０１〜９９までの設定を可能とし、商品コード８３を４桁分使用して０００１〜９９９９までの設定を可能とするものである。これは、出荷者４が限定した範囲で少ない場合など農産物直売所１等の販売現場での運営形態に対応させるバーコードフォーマットである。なお、ここでは出荷者４を減少させる変更で表現したが、逆に商品種類を減少させる変更にも対応できる。
【００２０】
図１３は本実施例に用いる更に他のバーコードフォーマットの説明図である。このフォーマットは特殊コードの２桁目にｎを置き、出荷者コード８２を４桁分使用して０００１〜９９９９までの設定を可能とし、金額コード８３を３桁分使用して商品価格を設定するものである。これは、出荷者フリーマーケットのように非常に多いが、商品の価格は限定した範囲で低価格である場合などの販売現場での運営形態に対応させるバーコードフォーマットである。なお、ここでは出荷者４を増加させる変更で表現したが、逆に金額コード８４の桁使用分を増加させることにより、細かい価格帯を設定する販売形態にも対応できる。
【００２１】
図１４は本実施例に用いる更に他のバーコードフォーマットの説明図である。このフォーマットは特殊コードの２桁目にｎを置き、商品コード８３を４桁分使用して０００１〜９９９９までの設定を可能とし、金額コード８３を３桁分使用して商品価格を設定するものである。これは、商品種類は非常に多いが、商品の価格は限定した範囲で低価格である場合などの販売現場での運営形態に対応させるバーコードフォーマットである。なお、ここでは商品の種類を増加させる変更で表現したが、逆に金額コード８４の桁使用分を増加させることにより、細かい価格帯を設定する販売形態にも対応できる。
【００２２】
図１５は本実施例に用いる更に他のバーコードフォーマットの説明図である。このフォーマットは特殊コードの２桁目にｎを置き、商品コード８３を４桁分使用して０００１〜９９９９までの設定を可能とし、商品コード８３を４桁分使用して０００１〜９９９９までの設定を可能とし、金額コード８３を２桁分使用して商品価格を設定するものである。これは、出荷者４と商品種類は非常に多いが、商品の価格は限定した範囲で低価格である場合などの販売現場での運営形態に対応させるバーコードフォーマットである。なお、ここでは出荷者４と商品の種類を増加させる変更で表現したが、逆に金額コード８４の桁使用分を増加させることにより、細かい価格帯を設定する販売形態にも対応できる。
なお、本発明のバーコードフォーマットだけでなく従来のバーコードフォーマット（ＪＡＮコード）のある一般商品に関しても、予めＪＡＮコードに対応する「出荷者コード」「商品コード」「金額コード」を本販売管理システムへ登録しておけば取り扱うことが可能である。
また、バーコードのない商品（ＪＡＮコードのない一般商品）に関しても、本販売管理システムへ「２８」から始まるＪＡＮコードを独自に作成・登録して、更にこれに対して「出荷者コード」「商品コード」「金額コード」を本販売管理システムへ登録しておけば取り扱うことが可能である。
【００２３】
本実施例に用いるバーコードラベルについて図１６と図１７を用いて説明する。
図１６は本実施例に用いる農産物販売管理システムで使用するバーコードラベルを示す図である。本発明によるバーコードラベル３３には、従来から印刷されている出荷日、商品名、生産者名、生産者の連絡先、リサイクルマーク、販売場所、販売場所の連絡先、バーコード３３ａ、バーコード番号３３ｂの他に、生産履歴３３ｃと産地名３３ｄが印刷される。この中で生産履歴３３ｃは、図２の生産履歴サーバー２４に出荷者４が生産履歴３３ｃと登録している商品についてのみバーコードラベル３３に印刷される。消費者５は農産物直売所１で商品を購入する前後、または商品を持ち帰った後、バーコードラベル３３の生産履歴３３ｃの表示を手がかりとして、農産物直売所１においては生産履歴開示用コンピューター６で、消費者５自宅や移動中においてはパーソナルコンピューター５１や携帯電話５２によって生産履歴３３ｃを閲覧することができる。図１７は、生産履歴をパーソナルコンピューターで閲覧する場合の画面構成図である。まず待ち受け画面１７ａの表示されているバーコード番号入力欄１７ｂに、バーコードラベル３３に印刷されているバーコード番号３３ｂを入力して検索をすると、検索結果画面１７ｃが表示され、生産者プロフィール１７ｄと生産履歴１７ｅを閲覧することができる。なお、本実施例ではバーコード番号３３ｂを入力して検索を行ったが、バーコード読み取り装置１２によってバーコード３３ａを直接読み取って検索することも可能である。また、携帯電話５２専用に２次元バーコードに変換した生産履歴１７ｅのホームページアドレスをバーコードラベル３３に印刷することにより、携帯電話５２での検索利便性を向上することも可能である。
【００２４】
本実施例による農産物販売管理システムの処理の流れを図１８を用いて説明する。
まず、消費者５が商品を購入し（Ｓａ１）、ＰＯＳ端末装置１１で精算する時に、商品に貼り付けられているバーコードラベル３３のバーコードを、専用のバーコード読み取り装置１２で読み取る（Ｓａ２）。次にそのバーコード３３ａの情報は売上データとしてＰＯＳ端末装置１１からサーバーセンター２へ送信される（Ｓａ３）。送信された売上データはサーバーセンター２の販売管理サーバー２１で受信され（Ｓａ４）、その後売上データとして随時蓄積される（Ｓａ５）。出荷者４が予め設定した売上データの配信設定（Ｓａ６）に基づいて売上データは、各出荷者４毎にリアルタイムに編集されるか（Ｓａ７）、または各出荷者４毎に各出荷者４が設定した時間間隔で編集され（Ｓａ８）、各出荷者４毎の販売データとして音声・ＦＡＸ・電子メールサーバー２２へ転送され（Ｓａ９）、出荷者４別販売データとして蓄積される（Ｓａ１０）。出荷者４別販売データは予め出荷者４が設定した配信方法（Ｓａ１１）に従って、音声の場合は出荷者４の固定電話４１または携帯電話４３へ自動音声で通知し（Ｓａ１２）、ＦＡＸの場合は出荷者４のファクシミリ４２へ送信し（Ｓａ１３）、電子メールの場合は出荷者のパーソナルコンピューター４０、携帯電話４３、ＰＤＡ４４等へ電子メールを送信する（Ｓａ１４）。
また、販売管理サーバー２１で一日の販売終了時の売上精算書を作成する（Ｓａ２１）。
なお、本実施例では、各出荷者４毎にリアルタイム配信か、あるいは一定時間毎の配信か選択する機能を有しているが、どちらか１つであっても構わない。また、出荷者４への売上情報の配信方法に関しても、本実施例では音声とＦＡＸと電子メールを設定しているが、いずれか１つの方法であっても、２以上の全ての配信方法であってもよい。また、一日の販売終了時の売上精算書の配信もＦＡＸと電子メールの両方の配信方法であっても構わない。
【００２５】
なお、本実施例では各出荷者４からの積極的な出品について例を挙げたが、農産物直売所１側から大量の同一種類の農産物の出荷要望を、バーコード情報に基づいて見つけ出した出荷可能者に対して電子メールやＦＡＸを用いて配信し、各出荷者４からの出荷可能応答が規定の期間内に届くか、あるいは規定の農産物数量に達することによってこの手続きを終了して、各出荷者４へ結果通知と注文通知を送るような形態も考えられる。また、このような農産物直売所１における大量の同一種類の農産物の注文システムだけでなく、スーパーマーケットや百貨店で扱う商品にも応用することができる。
【００２６】
本実施例による農業トレーサビリティー確認機能付きの農産物販売管理システムの処理の流れを図１９を用いて説明する。
まず、消費者が商品を購入し（Ｓａ１）、ＰＯＳ端末装置１１で精算する時に、商品に貼り付けられているバーコードラベル３３のバーコード３３ａを、専用のバーコード読み取り装置１２で読み取る（Ｓａ２）、次にそのバーコード３３ａの情報は売上データとしてＰＯＳ端末装置１１からサーバーセンター２へ送信される（Ｓａ３）。送信された売上データはサーバーセンター２の販売管理サーバー２１で受信され（Ｓａ４）、その後売上データとして随時蓄積される（Ｓａ５）。出荷者４が予め設定した売上データの配信設定（Ｓａ６）に基づいて売上データは、各出荷者４毎にリアルタイムに編集されるか（Ｓａ７）、または各出荷者４毎に各出荷者４が設定した時間間隔で編集され（Ｓａ８）、各出荷者４毎の販売データとして音声・ＦＡＸ・電子メールサーバー２２へ転送され（Ｓａ９）、出荷者別販売データとして蓄積される（Ｓａ１０）。出荷者４別販売データは予め出荷者４が設定した配信方法（Ｓａ１１）に従って、音声の場合は出荷者４の固定電話４１または携帯電話４３へ自動音声で通知し（Ｓａ１２）、ＦＡＸの場合は出荷者４のファクシミリ４２へ送信し（Ｓａ１３）、電子メールの場合は出荷者４のパーソナルコンピューター４０、携帯電話４３、ＰＤＡ４４等へ電子メールを送信する（Ｓａ１４）。
また、販売管理サーバー２１で一日の販売終了時の売上精算書を作成する（Ｓａ２１）。
一方、消費者５が農産物直売所１における商品の購入前後に、バーコード３３ａの情報を生産履歴開示用コンピューター６で読み取った場合（Ｓｂ１）、そのバーコード３３ａ情報はサーバーセンター２の生産履歴サーバー２４へ送信される（Ｓｂ２）。次に検索された生産履歴データは、生産履歴開示用コンピューター６に送信される（Ｓｂ３）。送られてきた生産履歴検索結果は、生産履歴開示用コンピューター６のモニター画面上に表示され、消費者５はこれを閲覧することができる（Ｓｂ４）。
【００２７】
なお、本実施例では商品のバーコード３３ａを専用の生産履歴開示用コンピューター６で読み取って生産履歴検索を行ったが、消費者５が自宅や移動先で各自のパーソナルコンピューター４０や携帯電話５２等を利用して、商品のバーコード番号３３ｂを入力することによって生産履歴３３ｃを検索し閲覧することも可能である。また、携帯電話５２専用に２次元バーコードに変換した生産履歴３３ｃのホームページアドレスが、バーコードラベル３３に印刷されていた場合は、農産物直売所１でショッピングを楽しみながら、随時各自の携帯電話５２で生産履歴３３ｃを検索することも可能である。
【産業上の利用可能性】
【００２８】
以上のように、本発明は、複数の農産物生産者、加工食品製造者およびその出荷者がその出荷した商品を販売するための農産物直売所と各商品の出荷者がネットワーク接続された環境において、農業従事者や高齢者や婦人層にも簡単に、しかも一貫したシステムで楽に販売管理ができ、特に、出荷者と商品種類と商品価格の管理が煩雑な農産物等の直売所におけるＰＯＳレジスターのバーコード管理の簡素化と、自由度の高い販売管理システムの構築に適している。
【図面の簡単な説明】
【００２９】
【図１】本発明の一実施例による農産物販売管理システムの概略構成図
【図２】本発明の他の実施例による農産物販売管理システムの概略構成図
【図３】本実施例による農産物販売管理システムの運用説明図
【図４】本実施例による農産物販売管理システムにおける売上情報の配信予約画面の説明図
【図５】本実施例による農産物の売上情報を出荷者が携帯電話で受信した場合の画面例の説明図
【図６】本実施例による農産物の売上情報配信手順の説明図
【図７】従来のＰＯＳレジスターのバーコードフォーマットの説明図
【図８】本実施例に用いるバーコードフォーマットを出荷者コードの１桁目に設定した場合の説明図
【図９】本実施例に用いるバーコードフォーマットを商品コードの１桁目に設定した場合の説明図
【図１０】本実施例に用いるバーコードフォーマットを金額コードの１桁目に設定した場合の説明図
【図１１】本実施例に用いる他のバーコードフォーマットの説明図
【図１２】本実施例に用いる更に他のバーコードフォーマットの説明図
【図１３】本実施例に用いる更に他のバーコードフォーマットの説明図
【図１４】本実施例に用いる更に他のバーコードフォーマットの説明図
【図１５】本実施例に用いる更に他のバーコードフォーマットの説明図
【図１６】本実施例に用いる農産物販売管理システムで使用するバーコードラベルを示す図
【図１７】本実施例による農産物の生産履歴をパーソナルコンピューターで閲覧する場合の画面構成図
【図１８】本実施例による農産物販売管理システムの処理の流れを示すフロー図
【図１９】本実施例による農産物販売管理システムの処理の流れを示すフロー図
【符号の説明】
【００３０】
１  農産物直売所
２  サーバーセンター
３  バーコードラベル作成装置
４  出荷者（農産物生産者や加工食品製造者）
５  消費者（農産物直売所で商品を購入する購入者）
６  生産履歴開示用コンピューター
７  インターネット
１１  ＰＯＳ端末装置（消費者が購入した商品を精算するレジスター）
１２  バーコード読み取り装置
２１  販売管理サーバー
２２  音声・ＦＡＸ・電子メールサーバー
２３  管理用コンピューター
２４  生産履歴サーバー
３１  バーコード作成用コンピューター
３２  バーコードラベルプリンター
４０  パーソナルコンピューター（出荷者）
４１  固定電話
４２  ファクシミリ
４３  携帯電話（出荷者）
４４  ＰＤＡ